(57)【要約】      （修正有）【課題】携帯電子機器を収容するケース本体をさわり心地の良い一定の厚みを有する軟質発泡樹脂として嗜好性に富むものとすると共に、収容対象物の保持性を損なうことの無い手帳型携帯電子機器ケースを提供する。【解決手段】２折りにしたシート部１間に携帯電子機器を挟み込む態様で収容する手帳型携帯電子機器用ケースにおいて、厚みを有する発泡ポリ塩化ビニル素材を用いた当該シート部１は、第一シート部１Ａと第二シート部１Ｂとが折曲部２を介して折り曲げ自在となり、当該第一シート部１Ａと当該第二シート部１Ｂの携帯電子機器が接する側は薄板と内生地を接着したうえ圧着することにより平坦状に形成され、当該第二シート部１Ｂの携帯電子機器が接する側に携帯電子機器を保持かつスライド可能とするスライドパーツＳを設ける。【選択図】図１
0003217318.tif 000002
【実用新案登録請求の範囲】
【請求項１】
２折りにしたシート部間に携帯電子機器を挟み込む態様で収容する手帳型携帯電子機器用ケースにおいて、
当該シート部は、第一シート部と第二シート部とが折目部を介して折り曲げ自在となり、当該第一シート部と当該第二シート部の携帯電子機器が接する側は薄板と内生地を接着したうえ圧着することにより平坦状に形成され、当該第二シート部の携帯電子機器が接する側に携帯電子機器を保持かつスライド可能とするスライドパーツを設けることを特徴とする手帳型携帯電子機器用ケース。
【請求項２】
前記シート部に発泡ポリ塩化ビニル素材を用いることを特徴とする請求項１に記載された手帳型携帯電子機器用ケース。
【請求項３】
前記シート部に厚み１８ｍｍの発泡ポリ塩化ビニル素材を用いることを特徴とする請求項１に記載された手帳型携帯電子機器用ケース。
【請求項４】
前記第一シート部の携帯電子機器が接する側に接着された内生地に線状切込み部を設けたことを特徴とする請求項１乃至請求項３の何れかに記載された手帳型携帯電子機器用ケース。
【請求項５】
前記シート部に装飾が施された形状であることを特徴とする請求項１乃至請求項４の何れかに記載された手帳型携帯電子機器ケース。
【考案の詳細な説明】
【技術分野】
【０００１】
本考案は、スマートフォンをはじめとする携帯電子機器を収容する手帳型携帯電子機器用ケースに関するものである。
【背景技術】
【０００２】
従来より、携帯電子機器を収容するケースは各種提案され、例えば、２つ折りにしたシート部に携帯電子機器を挟み込むような態様で携帯電子機器を収容するケースが公知である（先行技術参照）。
【先行技術文献】
【特許文献】
【０００３】
【特許文献１】特開２０１５−１４９７８２号公報
【０００４】
しかしながら、一定の厚みを有し弾力性に富む素材である発泡ポリ塩化ビニルをケース全体の素材とするような、ケース自体に使用者の快適性を喚起する携帯電子機器ケースがみられなかった。
【０００５】
一方、厚みを有する発泡ポリ塩化ビニルは、携帯電子機器を収容した際の携帯電子機器の接する側の面において、収容対象物の保持力や収まり感に難があった。
【考案の概要】
【考案が解決しようとする課題】
【０００６】
本考案は、上記問題点に鑑みなされたものであって、携帯電子機器を収容するケース本体をさわり心地の良い一定の厚みを有する軟質発泡樹脂として嗜好性に富むものとすると共に、収容対象物の保持性を損なうことの無い手帳型携帯電子機器ケースを提供するものである。
【課題を解決するための手段】
【０００７】
本考案は、請求項１に記載のように、２折りにしたシート部間に携帯電子機器を挟み込む態様で収容する手帳型携帯電子機器用ケースにおいて、
当該シート部は、第一シート部と第二シート部とが折目部を介して折り曲げ自在となり、当該第一シート部と当該第二シート部の携帯電子機器が接する側は薄板と内生地を接着したうえ圧着することにより平坦状に形成され、当該第二シート部の携帯電子機器が接する側に携帯電子機器を保持かつスライド可能とするスライドパーツを設けることを特徴とするものである。
【０００８】
本考案は、請求項２に記載のように、請求項１に記載された手帳型携帯電子機器用ケースにおいて、前記シート部に発泡ポリ塩化ビニル素材を用いることを特徴とするものである。
【０００９】
本考案は、請求項３に記載のように、請求項１に記載された手帳型携帯電子機器用ケースにおいて、前記シート部に厚み１８ｍｍの発泡ポリ塩化ビニル素材を用いることを特徴とするものである。
【００１０】
本考案は、請求項４に記載のように、請求項１乃至請求項３に記載された何れかの手帳型携帯電子機器用ケースにおいて、前記第一シート部の携帯電子機器が接する側に接着された内生地に線状切込み部を設けたことを特徴とするものである。
【００１１】
本考案は、請求項５に記載のように、請求項１乃至請求項４に記載された手帳型携帯電子機器用ケースにおいて、前記シート部に装飾が施された形状であることを特徴とするものである。
【考案の効果】
【００１２】
本考案は、請求項１乃至請求項５に記載した構成を採用することにより、携帯電子機器を収容するケース本体をさわり心地の良い一定の厚みを有する軟質発泡樹脂として嗜好性に富むものとすると共に、収容対象物の保持性を損なうことの無い携帯電子機器ケースを提供することが可能となる。
【図面の簡単な説明】
【００１３】
【図１】本考案に係る手帳型携帯電子機器用ケースにおけるシート部内面の一実施形態を表した平面図である。
【図２】本考案に係る手帳型携帯電子機器用ケースにおけるシート部外面の一実施形態を表した平面図である。
【図３】本考案に係る手帳型携帯電子機器用ケースにおける一実施形態の概略説明図である。
【考案を実施するための形態】
【００１４】
以下、図１〜図３を参照し、本考案に係る手帳型携帯電子機器用ケースの一実施形態に関して詳細に説明する。
【００１５】
本考案に係る手帳型携帯電子機器用ケースは、スマートフォンなどの携帯電子機器の保護やケース自体の快適性や装飾性のために使用されるものである。
【００１６】
携帯電子機器（図示せず）の基本的形状は、周知のとおり、略長方形の薄板状を呈するものが汎用されていることから、以下の実施形態は、概ね当該基本的形状に対応するケースについて説明する。
【００１７】
なお、携帯電子機器は機種などにより全体形状や操作ボタンなどの配置が異なるが、本考案は、本考案の要旨の範囲内において、各種の携帯電子機器に対応する携帯電子機器用ケースに適用されるものである。
【００１８】
シート部１は、各種携帯電子機器の形状に対応して形成されるものであるが、基本的態様は図示のとおり、開放時において全体矩形状を呈し、折曲部２の両端に形成される折り目２Ａ２Ｂを介して二つ折可能となり、折り曲げ時において略長方形状を呈するものである。
本実施例においては、縦１６９ｍｍ、横１８０ｍｍ、折曲部を２０ｍｍとする態様を採用する。
【００１９】
本明細書においては、シート部１が折り曲げられた際、携帯電子機器に当接して挟み込む側の面を「内面」（図１において示された面）とし、携帯電子機器を収容した際に外部に露出する側を「外面」（図２において示された面）と特定する。
また、「内面」においてスライドパーツＳ等を介して携帯電子機器が保持されるシート部１を第二シート部１Ｂとし、他方のシート部を第一シート部１Ａとする。
【００２０】
本考案にあっては、シート部１の素材として、例えば、一定の厚みを有する発泡塩化ビニルが使用される。
【００２１】
厚みを有する発泡塩化ビニルからなるシート部１は、使用者がケースを握った状態において、あるいは指で押した際の感触が極めて心地のよい携帯電子機器ケースを提供することができる。
【００２２】
また、かかる素材を使用するシート部１は、請求項５に記載のように、模様やキャラクターなどを配するなど各種の装飾を施すことにより、ケース自体のバリエーションを増やすことが可能となる。
例えば、図示した実施例においては、全体形状や外面印刷などを施し猫のキャラクターとし嗜好性に富むケースとすることが可能となる。
【００２３】
シート部１の厚みは、使用素材、対応機器機種、装飾形態に応じ、電子機器の保持性などを考慮して決定されるものであるが、請求項３に記載のように、厚みを１８ｍｍとする実施態様が想定される。
【００２４】
第一シート部１Ａと第二シート部１Ｂは、折り曲げした状態において連結可能となることが好ましく、例えば、それぞれのシート部外縁中央部にマグネットを介した係止片（図示せず）を備えることなどが想定される。
【００２５】
シート部１の内面、すなわち、携帯電子機器が収容の際に当接する側の面は、厚紙や樹脂板などの薄板と内生地が接着され、さらに、圧着機により圧着させることにより、シート部本来の素材が露出するシート部外面に比し硬質かつ扁平な平坦状面が形成される。
【００２６】
すなわち、シート部１の使用素材である厚みを有する発泡塩化ビニルは、上述のとおりさわり心地が良好であるが、携帯電子機器の保持性や折り曲げ状態における収まり感に難がある。
また、厚紙や樹脂薄板を多層に設けることにより、請求項４に記載されるように線状切込み部を設けることにより、クレジットカードなどを収容するカードポケットを形成することも可能となる。
【００２７】
第二シート部１Ｂの内面には、収容される携帯電子機器を保持しかつスライドさせるスライドパーツＳが設けられている。かかるスライドパーツＳは、手帳型携帯電子機器用ケースにおいて公知に使用される構成を採用するものであり、例えば、上下にスライド自在となるスライド板Ｓ１の表面に粘着シートが配され、当該粘着シートに携帯電子機器の背面側が接着保持され、カメラ使用時などの際において、携帯電子機器のレンズ部をシート部上部より露出させることとなる。
【００２８】
本考案に係る手帳型携帯電子機器用ケースの製造工程の概要は下記のとおりである。
厚み１８ｍｍの発泡塩化ビニルシートに、外面のデザインに対応する印刷を施すため、熱された金属板により、例えば転写用１次コーティングＣ１、ＵＶ印刷処理Ｐ、印刷保護２次コーティングＣ２を施した転写紙をもって転写する。
【００２９】
つぎに、印刷されたシートを、ケース全体のデザインや装飾に対応するため、あらかじめ形状に対応した金型により高周波キャスティング作業により、適宜形態とする。
【００３０】
つぎに、携帯電子機器が接する面、すなわちシート部内面に、厚紙１１と樹脂板１２の薄状板を接着し、その上から、あらかじめ形状に対応するよう裁断された内生地３を貼り付ける。
【００３１】
なお、第二シート部１Ｂには、スライドパーツＳが薄状板に接着され、内生地３はスライドパーツＳの形状に応じた切欠き部が設けられている。
【００３２】
また、クレジットカードなどを収容するカードポケットを設けるため、樹脂薄板と内生地の間に極薄状のポリエステル生地１３を接着したうえ、内生地３に線状切込Ｃを設ける。
【００３３】
最終縫製を全体にかけ完成させる。
【符号の説明】
【００３４】
１    シート部
１Ａ  第一シート部
１Ｂ  第二シート部
２    折曲部
３    内生地
【図１】
0003217318.tif 000003
【図２】
0003217318.tif 000004
【図３】
0003217318.tif 000005